(57)【特許請求の範囲】
【請求項１】
配電盤キャビネット用の構成ユニットであって、開放している側面が壁エレメントおよび少なくとも１つのキャビネットドアによって被覆されているフレーム架台を備えており、壁エレメントが、フレーム架台に引っ掛けられるようになっていて、かつ直立した位置で固定エレメントによってフレーム架台に固定されるようになっている形式のものにおいて、
フレーム架台の側面に対して垂直方向で様々な構造深さを有する壁エレメント（３０，４０）が、選択的にフレーム架台に引っ掛けて固定されるようになっており、
壁エレメント（３０，４０）が、水平の旋回支承部によってフレーム架台に引っ掛けられるようになっていて、かつ直立した取り付け位置に旋回されるようになっており、
壁エレメント（４０）の少なくとも１つが、配電盤キャビネット内室とは反対側においてケーブル受容部として構成されたふくらみを有しており、該ふくらみにケーブル（５４）が、壁エレメント（４０）のケーブル導通部（４０．１）を介して導入可能であって、該ケーブル導通部（４０．１）が、当該配電盤キャビネットの底部および／または上面に対応配置された領域において前記壁エレメント（４０）内に設けられていることを特徴とする、配電盤キャビネット用の構成ユニット。
【請求項２】
前記壁エレメント（４０）の前記ケーブル導通部（４０．１）が引き出し可能な挿入体（４０．２）または蓋（４４）によって閉鎖可能である、請求項１記載の構成ユニット。
【請求項３】
前記壁エレメント（４０）が、鉛直縁部に屈曲部（４２）を備えた平らな壁部（４１）を有しており、前記壁エレメント（４０）の前記屈曲部（４２）が、前記フレーム架台の、該壁エレメント（４０）が配置される側面に対して垂直の方向に様々な寸法を有している、請求項１または２記載の構成ユニット。
【請求項４】
前記フレーム架台が、該フレーム架台の側面を形成する４つの鉛直のフレーム成形材（２０）を有しており、前記壁エレメント（４０）が前記屈曲部（４２）で、隣接する２つの鉛直のフレーム成形材（２０）のそれぞれ向かい合った側に接触している、請求項３記載の構成ユニット。
【請求項５】
前記キャビネットドア（６０）が、周囲をめぐる折り曲げ部（６２）を縁部に備えた平らなドアブレード（６１）を有しており、該折り曲げ部（６２）が、キャビネットドア（６０）の構造深さを規定している、請求項１記載の構成ユニット。
【請求項６】
前記キャビネットドア（６０）のドアブレード（６１）にのぞき窓（６３）が設けられている、請求項５記載の構成ユニット。
【発明の詳細な説明】
【０００１】
本発明は、配電盤キャビネット用の構成ユニットであって、開放している側が壁エレメントおよび少なくとも１つのキャビネットドアによって被覆可能であるフレーム架台を備えている形式のものに関する。
【０００２】
ドイツ連邦共和国特許第４４３９６２２号明細書によって、フレーム架台が同形の１２本のフレーム成形体および８つの角隅継手から構成されている配電盤キャビネットが公知である。フレーム架台の開放している側面は３つの壁エレメントと、１つの蓋と、１つのキャビネットドアとによって閉鎖可能である。壁エレメントをフレーム架台に取り付けるために、鉛直のフレーム成形材および角隅継手にねじ山受容部が設けられている。これらのねじ山受容部に整合するように、壁エレメントのねじ受容部を配置することができる。固定ねじは、ねじ受容部を通して案内して、ねじ山受容部にねじ込むことができる。
【０００３】
そのような配電盤キャビネットでは、電気的な組み込み構成部材を収納するために提供可能な組み込みスペースが規定される。したがって、配電盤キャビネットのコンパクトな装備では、後からの拡張装備は問題である。
【０００４】
本発明の課題は、冒頭で述べたような形式の配電盤キャビネット用の構成ユニットを改良し、簡単な形式で付加的な取り付けスペースを提供可能にするようなものを提供することである。
【０００５】
この課題を解決するための本発明の装置によると、フレーム架台の各側面に対して垂直方向に様々な構造深さを有する種々異なる壁エレメントおよび／またはキャビネットドアが、該フレーム架台に選択的に取り付け可能であるようになっている。
【０００６】
本発明の構成ユニットによると、配電盤キャビネット内室の容積を変化させることができる。この場合、所望の装備に関連して、選択的に単数または複数のフレーム台架の側面を拡張することができる。特に、配電盤キャビネットは提供可能な容積に関して、幅および深さの方向に変化させることができる。
【０００７】
本発明の有利な実施形態によると、壁エレメントの少なくとも１つが、配電盤キャビネット内室とは反対側においてケーブル受容部として構成されたふくらみを有し、該ふくらみにケーブルが当該壁エレメントのケーブル導通部を介して導入可能であって、該ケーブル導通部が配電盤キャビネットの底部および／または上面に対応配置された領域において前記壁エレメント内に設けられている。これによって、ケーブル受容スペースに、床または天井から案内されるケーブルを導入可することができる。ケーブル受容スペースにおいて、ケーブルは配列して収納され、次いで、配電盤キャビネットの所望の位置に分配される。
【０００８】
この場合、壁エレメントのケーブル導通部を引き出し可能な挿入体または蓋に設けることもできるので、このケーブル導通部は選択的に必要な場合にアプローチ可能にすることができる。
【０００９】
壁エレメントの取り付けを簡単にするために、壁エレメントが水平旋回軸線を備えた旋回支承部に引っ掛け可能であって、該壁エレメントが、直立した取り付け位置に旋回可能であって、該壁エレメントが、前記取り付け位置において少なくとも１つの固定エレメントによって、フレーム架台に固定可能であることが考慮される。このような配置構成では、壁エレメントの取り付けはたった一人の組み立て工によって行うことができる。固定エレメントとして有利には高速緊締装置（Ｓｃｈｎｅｌｌｓｐａｎｎｅｉｎｒｉｃｈｔｕｎｇ）が使用される。
【００１０】
本発明の構成ユニットの特徴によると、たとえば、壁エレメントが鉛直縁部に屈曲部を備えた平らな壁部を有しており、種々異なる前記壁エレメントの前記屈曲部が、フレーム架台の、該壁エレメントが配置される側面に対して垂直の方向に様々な寸法を有している。この構成によって、少ない部品で製造可能な、簡単に構成された壁エレメントが実現される。
【００１１】
フレーム架台が、該フレーム架台の側面を形成する４つの鉛直のフレーム成形材を有しており、壁エレメントが屈曲部で、隣接する２つの鉛直のフレーム成形材のそれぞれ向かい合った側に接触していると、壁エレメントは簡単に、該壁エレメントのために設けられたフレーム架台の開口に挿入して、該開口内に固定することができる。
【００１２】
壁エレメントの場合と同様に、キャビネットドアが、周囲をめぐる折り曲げ部を縁部に備えた平らなドアブレードを備えることもできる。この場合、種々異なるキャビネットドアの折り曲げ部は様々な構造深さを有する。
【００１３】
たとえば、キャビネットドアの１つのドアブレードにのぞき窓を設けることもできる。
【００１４】
次に本発明の実施の形態を図示の実施例を用いて詳しく説明する。
【００１５】
図１は、配電盤キャビネット用のフレーム架台を示している。このフレーム架台は下方および上方のベースユニット１０を有している。ベースユニット１０は扁平な１つの鋼薄板切片から製作されている。ベースユニット１０は水平に方向付けられた底部１１を有し、この底部１１は側面において、折り曲げられた縁部１２′を備えている。縁部１２′は折り曲げ部１２′′に移行し、この折り曲げ部１２′′は底部１１に対して平行に向けられている。底部１１の各角隅領域には差込突起１５が配置されている。これらの差込突起１５はベースユニット１０にねじ締結または溶接可能である。差込突起１５はねじ山受容部１６を有し、このねじ山受容部１６は配電盤キャビネットの内室に向いている。差込突起１５に鉛直のフレーム成形材２０を被せ嵌めることができる。この場合、鉛直のフレーム成形材２０は横断面方形中空成形部材として構成されており、その内側横断面は差込突起１５の外側横断面にほぼ相応する。鉛直のフレーム成形材２０が差込突起１５に被せ嵌められると、鉛直のフレーム成形材２０のねじ受容部２３は差込突起１５のねじ山受容部１６に整合するように位置決めされている。これらのねじ山受容部２３に固定ねじ２１′を挿入し、ねじ山受容部１６にねじ込むことができる。これによって鉛直のフレーム成形材２０はベースユニット１０に堅固に固定され、フレーム架台を構成する。図１に斜線で示した部分は、様々な幅のベースユニット１０，１０′の使用例を表している。様々な幅のベースユニット１０，１０′の使用例では、鉛直のフレーム成形材２０は変化しない。
【００１６】
フレーム架台の開放している側は、壁エレメント３０，４０、および図示していないドアを用いて被覆することができる。図１に示したように、種々異なる壁エレメント３０，４０を選択的にフレーム架台に取り付けることが可能で、たとえば壁エレメント３０を使用することができる。壁エレメント３０は鉛直に向けられた扁平な壁部３１を有しており、この壁部３１はその縁部に屈曲部３２，３４を備えている。屈曲部３２，３４はフレーム架台の内室に向いている。両方の鉛直の屈曲部３２はスリット状のヒンジピン受容部３３を備えている。この場合、ヒンジピン受容部３３は屈曲部３２において斜め上方に向かって切り込まれている。ヒンジピン受容部３３はは開放しているスリット端部を有しており、このスリット端部によってヒンジピン受容部３３は固定ねじ２１′のねじ頭に被せ嵌め可能である。固定ねじ２１′のねじ頭はヒンジピン２１として役立つ。壁エレメント３０は、ヒンジピン受容部３３で、ヒンジピン２１に被せ嵌め可能なので、水平に向けられた旋回軸線を備えた旋回支承部が形成される。この場合、壁エレメント３０は、該壁エレメントが配置されるフレーム架台側面に対して角度を成して保持することができるので、ヒンジピン２１から滑り落ちることはない。これは斜めに切り込まれたヒンジピン受容部３３によって可能である。壁エレメント３０を固定するために、ロックとして形成された固定エレメント３５が設けられている。閉じられた旋回位置では、壁エレメント３０は上方の両方の固定ねじ２１に当接している。これに対して屈曲部３２は、ストッパを形成するノッチング部３３′を備えている。この組み込み位置において、ロック３５が回動されるので、ロックの舌片状の錠エレメントは上方のベースユニット１０のスリット状の錠受容部１３に係合することができる。
【００１７】
壁エレメント３０の代わりに、壁エレメント４０をフレーム架台に取り付けることも可能で、この壁エレメント４０はフレーム架台の内室とは反対側のふくらみを有している。このふくらみはケーブル通路として使用される。この場合、ふくらみは側方の壁部４１と、この壁部４１に接続された屈曲部４２とによって形成される。壁エレメント３０の屈曲部３２，３４とは異なって、壁エレメント４０の屈曲部４２はより大きい構造深さを有している。ベースユニットに向いた側の上方の領域において壁エレメント４０が開放する。この壁エレメント４０は蓋４４によって閉鎖可能である。蓋４４は上方の蓋薄板４６を有しており、この蓋薄板４６に下方へ向けられた側面部分４５が接続されている。側面部分４５は屈曲部４２をカバーするので、蓋薄板４６の下面が屈曲部４２に当接する。屈曲部４２が、この当接される領域において斜めに面取りされているので、蓋薄板４６も水平面に対して角度を成して配置されている。これによって排水性を改善することができる。図１には２つの壁エレメント４０が示されているが、これらの壁エレメント４０は選択的にフレーム架台に取り付け可能である。これら両方の壁エレメント４０は異なる構造深さを有している。これによって、使用者の需要に応じて、様々な大きさのケーブル用配列スペースを提供することができる。壁エレメント４０の取けは壁エレメント３０の固定と同様の形式で行われる。まず、この壁エレメント４０のヒンジピン受容部３３が、ヒンジピン２１に被せ嵌められる。次いで、壁エレメント４０は直立した位置に移動され、固定エレメントを用いてフレーム台架に固定される。屈曲部４２は、屈曲部３２と同様に、ストッパとして役立つノッチング部３３′を備えている。配電盤キャビネットが湿気から守られた室内に置かれていると、蓋４４を省略してもよい。蓋４４を越えて、ケーブルは壁エレメント４０のケーブルシャフトに導入することができる。導入されたケーブルはケーブルシャフトから配電盤キャビネットの内室に分配することができる。ケーブル導入はベースユニット１０，１０′によって取り囲まれた切欠１４を通って行うこともできる。切欠１４はカバープレートを用いて閉鎖可能であって、このカバープレートは切欠１４の周囲に配置された固定手段受容部１２に固定される。選択的に固定手段受容部１２にケーブル導通部をねじ固定することもできる。
【００１８】
図２には、ケーブル通路を取り囲む２つの壁エレメント４０の使用例が示されている。この図２から判るように、鉛直のフレーム成形材２０にケーブル保持体５０を固定することができる。ケーブル保持体５０は互いに平行な２つの脚部５２を有しており、これらの脚部５２は、鉛直のフレーム成形材２０の内側にねじ固定可能である。両方の脚部５２は壁エレメント４０によって取り囲まれたケーブルスペースに突入し、保持区分５５を支持している。保持区分５５から、多数の舌片５１が切り出されている。ケーブル結着手段５３によって、これらの舌片５１にケーブル５４を固定することができる。さらに図２から判るように、壁エレメント４０の屈曲部４２は上方の領域でノッチング部４９を備えている。これらのノッチング部４９において、各屈曲部４２は上方のベースユニット１０に外側から係合するので、蓋４４の蓋薄板４６はベースユニット１０の上面に角隅領域を形成して移行することができる。ノッチング部４９に続いて、屈曲部４２から支持区分４８が折り曲げられており、この支持区分４８上に蓋４４が載設される。蓋４４が装備された状態では、側面４５は屈曲部４２をカバーしている。壁部４１は蓋薄板４６から折り曲げられた縁部４７によってカバーされる。
【００１９】
ケーブルを床から引き出して壁エレメント４０によって取り囲まれたケーブル通路に導入するために、壁エレメント４０の場合では、挿入体４０．２が使用される。そのような挿入体４０．２は水平の閉鎖プレート部４０．４を有しており、この閉鎖プレート部４０．４から一体的に形成されたグリップ部４０．５が折り曲げられている。閉鎖プレート部４０．４は壁部４１の切欠を通って摺動可能である。屈曲部４２から案内部４０．３が折り曲げられている。この案内部４０．３上を閉鎖プレート部４０．４が滑動可能である。挿入体４０．２の壁エレメント４０への挿入移動は、グリップ部４０．５によって制限される。このグリップ部４０．５は壁部４１に当接する。挿入体４０．２が引き出された状態では、ケーブル導通部４０．１は解放され、このケーブル導通部４０．１を通って、ケーブル５４は壁エレメント４０のケーブル通路へ導入可能である。
【００２０】
図３には、壁エレメント４０をフレーム架台に固定するための形式が詳しく示されている。壁エレメント４０のスリット状のヒンジピン受容部３３がヒンジピン２１に被せ嵌められ、次いで、鉛直の組み付け位置にもたらされる。壁エレメント４０の最終的な固定は、２つの固定エレメント３５によって行われる。これらの固定エレメント３５は閉鎖フックを有しており、閉鎖フックは、屈曲部４２に対して鉛直に位置する回動軸線を中心に旋回可能である。閉鎖フックにグリップが結合されている。
【００２１】
壁エレメント４０が組付け位置にもたらされると、閉鎖フックはグリップを介して旋回することができる。
【００２２】
次いで、閉鎖フックは、ノッチング部３３′に受容された固定ねじ２１′に背面から係合して、この固定ねじ２１′を緊締する。固定エレメント３５は、許されない操作を防止するために、配電盤キャビネット内室からしか作動させられない。
【００２３】
壁エレメント４０を確実に固定するために、壁エレメント４０の両方の屈曲部４２に固定エレメント３５が取り付けられている。
【００２４】
図４には、異なる３つのキャビネット扉６０の使用例が示されている。
【００２５】
キャビネットドア６０は平らなドアブレード６１を有しており、このドアブレード６１はその縁部に周囲をめぐる折り曲げ部６２を備えている。この場合、折り曲げ部６２はドアブレード６１に対して垂直方向の様々な寸法を有している。そのように形成されたキャビネットドア６０によって、配電盤キャビネットの提供可能な構成スペースは前面に拡張することができる。
【００２６】
配電盤キャビネットの外側から配電盤キャビネットの内室における機能を監視するために、キャビネットドア６０はドアブレード６１にののぞき窓６３を取り付けることができる。
【図面の簡単な説明】
【図１】選択的に種々異なる壁エレメントを取り付けることができる配電盤キャビネットのフレーム架台を斜めから見た分解図である。
【図２】図１に示したフレーム架台の、２つの壁エレメントを備えた構成を示す図である。
【図３】壁エレメントの取り付けられた、図１および図２に示したフレーム架台の部分的な斜視図である。
【図４】異なる３つのキャビネットドアを備えた、図１および図２に示したフレーム架台を示す図である。
【符号の説明】
１０，１０′  ベースユニット、  １１  底部、  １２  固定手段受容部、  １２′  縁部、  １２′′  折り曲げ部、  １３  錠受容部、  １４  切欠、  １５  差込突起、  １６  ねじ山受容部、  ２０  フレーム成形材、  ２１  ヒンジピン、  ２１′  固定ねじ、  ２３  ねじ受容部、  ３０  壁エレメント、  ３１  壁部、  ３２，３４  屈曲部、  ３３  ヒンジピン受容部、  ３３′  ノッチング部、  ３５  固定エレメント、  ４０  壁エレメント、  ４０．１  ケーブル導通部、  ４０．２  挿入体、  ４０．３  案内部、  ４０．４  閉鎖プレート部、  ４０．５  グリップ部、  ４１  壁部、  ４２  屈曲部、  ４４  蓋、  ４５  側面部分、  ４６  蓋薄板、  ４７  縁部、  ４８  支持区分、  ４９  ノッチング部、  ５０  ケーブル保持体、  ５１  舌片、  ５２  脚部、  ５３  ケーブル結着手段、  ５５  保持区分、  ６０  キャビネットドア、  ６１  ドアブレード、  ６２  折り曲げ部、  ６３  のぞき窓
【図１】
0003610010.tif 000002
【図２】
0003610010.tif 000003
【図３】
0003610010.tif 000004
【図４】
0003610010.tif 000005